(57)【要約】【課題】水上での遊覧の基地として利用可能で、かつ移動距離を長く確保することができる。【解決手段】親子型燃料電池搭載ボート１は、相対的に大型な親ボート２と、この親ボート２より小型な１つ以上の子ボート３からなり、親ボート２は、発電装置２０を搭載してなり、子ボート３は、バッテリ３０と電動推進装置３２を搭載してなり、親ボート２に子ボート３をドッキングして電気的に接続し、親ボート２の発電装置２０から子ボート３のバッテリ３０または電動推進装置３２の少なくともいずれかに給電する。【選択図】図１
2006056386.tif 000002
【特許請求の範囲】
【請求項１】
相対的に大型な親ボートと、この親ボートより小型な１つ以上の子ボートからなり、
前記親ボートは、発電装置を搭載してなり、
前記子ボートは、バッテリと電動推進装置を搭載してなり、
前記親ボートに前記子ボートをドッキングして電気的に接続し、前記親ボートの前記発電装置から前記子ボートの前記バッテリまたは前記電動推進装置の少なくともいずれかに給電することを特徴とする親子型発電機搭載ボート。
【請求項２】
前記発電装置は、燃料電池を含むことを特徴とする請求項１に記載の親子型発電機搭載ボート。
【請求項３】
前記親ボートは、電動推進装置を搭載することを特徴とする請求項１に記載の親子型発電機搭載ボート。
【請求項４】
前記親ボートは、航走方向の後部に電動推進装置を搭載し、航走方向に対して左右側に１つ以上の前記小型ボートをドッキングするドッキング部を有することを特徴とする請求項１または請求項２に記載の親子型発電機搭載ボート。
【請求項５】
前記親ボートは、少なくとも航走方向の後部に前記子ボートをドッキングするドッキング部を有することを特徴とする請求項１または請求項２に記載の親子型発電機搭載ボート。
【請求項６】
前記親ボートと前記子ボートとの間、または前記子ボート同士の間で操船信号を送受信する連動装置を備えることを特徴とする請求項１乃至請求項５のいずれか１項に記載の親子型発電機搭載ボート。
【請求項７】
前記連動装置は、前記親ボート内の通信ネットワークと前記子ボート内の通信ネットワークとを接続し、または前記子ボート内の通信ネットワーク同士を接続することを特徴とする請求項６に記載の親子型発電機搭載ボート。
【発明の詳細な説明】
【技術分野】
【０００１】
この発明は、例えば水上での遊びに用いることが可能な親子型発電機搭載ボートに関するものである。
【背景技術】
【０００２】
従来、例えば、水上での遊覧の基地として利用することができる被駆動船があり、この被駆動船にはジェット推進艇がドッキングされ、このジェット推進艇によって被駆動船を押して推進するようになっている（例えば、特許文献１）。
【特許文献１】特許第３０５３１９５号公報（第１頁〜第９頁、図１〜図２４）
【発明の開示】
【発明が解決しようとする課題】
【０００３】
このように、ジェット推進艇によって被駆動船を押して航走するものでは、ドッキング状態での移動であり、ジェット推進艇の燃料消費が大きい。このため、被駆動船の移動距離が短くなる。また、ジェット推進艇と被駆動船とのドッキングを解除し、例えばジェット推進艇が被駆動船を基地として航走して遊ぶ場合でもジェット推進艇の残り燃料が少ない等が問題がある。
【０００４】
この発明は、かかる点に鑑みてなされたもので、水上での遊覧の基地として利用可能で、かつ移動距離を長く確保することができる親子型発電機搭載ボートを提供することを目的としている。
【課題を解決するための手段】
【０００５】
前記課題を解決し、かつ目的を達成するために、この発明は、以下のように構成した。
【０００６】
請求項１に記載の発明は、相対的に大型な親ボートと、この親ボートより小型な１つ以上の子ボートからなり、
前記親ボートは、発電装置を搭載してなり、
前記子ボートは、バッテリと電動推進装置を搭載してなり、
前記親ボートに前記子ボートをドッキングして電気的に接続し、前記親ボートの前記発電装置から前記子ボートの前記バッテリまたは前記電動推進装置の少なくともいずれかに給電することを特徴とする親子型発電機搭載ボートである。
【０００７】
請求項２に記載の発明は、前記発電装置は、燃料電池を含むことを特徴とする請求項１に記載の親子型発電機搭載ボートである。
【０００８】
請求項３に記載の発明は、前記親ボートは、電動推進装置を搭載することを特徴とする請求項１に記載の親子型発電機搭載ボートである。
【０００９】
請求項４に記載の発明は、前記親ボートは、航走方向の後部に電動推進装置を搭載し、航走方向に対して左右側に１つ以上の前記小型ボートをドッキングするドッキング部を有することを特徴とする請求項１または請求項２に記載の親子型発電機搭載ボートである。
【００１０】
請求項５に記載の発明は、前記親ボートは、少なくとも航走方向の後部に前記子ボートをドッキングするドッキング部を有することを特徴とする請求項１または請求項２に記載の親子型発電機搭載ボートである。
【００１１】
請求項６に記載の発明は、前記親ボートと前記子ボートとの間、または前記子ボート同士の間で操船信号を送受信する連動装置を備えることを特徴とする請求項１乃至請求項５のいずれか１項に記載の親子型発電機搭載ボートである。
【００１２】
請求項７に記載の発明は、前記連動装置は、前記親ボート内の通信ネットワークと前記子ボート内の通信ネットワークとを接続し、または前記子ボート内の通信ネットワーク同士を接続することを特徴とする請求項６に記載の親子型発電機搭載ボートである。
【発明の効果】
【００１３】
前記構成により、この発明は、以下のような効果を有する。
【００１４】
請求項１に記載の発明によれば、親ボートは、発電装置を搭載し、子ボートは、バッテリと電動推進装置を搭載しており、親ボートに子ボートをドッキングして電気的に接続し、子ボートの電動推進装置を親ボートの発電装置から長時間駆動できるので、移動距離を長くできる。また、親ボートの発電装置から子ボートのバッテリに充電することができる。
【００１５】
子ボートは、例えば移動先で親ボートとのドッキングを解除して分離し、バッテリで電動推進装置を駆動して航走することができ、親ボートは水上での遊覧の基地として利用可能である。
【００１６】
請求項２に記載の発明によれば、発電装置は、燃料電池を含み、燃料電池に燃料を補給することで、継続して発電でき、それを電源として電動推進装置を駆動して長時間駆動できるので、移動距離を長くできる。
【００１７】
請求項３に記載の発明によれば、親ボートに電動推進装置が搭載されており、親ボートの移動先で親ボートから子ボートのドッキングを解除して分離した場合でも、親ボートを電動推進装置の駆動によって航走することができる。
【００１８】
請求項４に記載の発明によれば、親ボートは、航走方向の後部に搭載した電動推進装置を駆動して航走し、この移動先では航走方向に対して左右側に子ボートをドッキングして子ボートのバッテリに充電することで、親ボートを水上での遊覧の基地として利用できる。また、ドッキング状態で、子ボートの電動推進装置を駆動させることにより、親ボートの横移動や旋回が可能となり、着岸時に便利となる。
【００１９】
請求項５に記載の発明によれば、親ボートは、少なくとも航走方向の後部に子ボートをドッキングして航走し、この移動先では親ボートから子ボートのバッテリに充電することで、親ボートを水上での遊覧の基地として利用できる。また、ドッキング状態で、子ボートを推進させることにより、横移動が可能となり、着岸時に便利となる。
【００２０】
請求項６に記載の発明によれば、操船信号を送受信する連動装置を備え、親ボートから子ボートを操船でき、また子ボートから親ボートと他の子ボートを操船できる。
【００２１】
請求項７に記載の発明によれば、連動装置により親ボート内の通信ネットワークと子ボート内の通信ネットワークとを容易に接続し、または子ボート内の通信ネットワーク同士を容易に接続することができる。また、通信ネットワークにより伝送速度が速く、かつ配線スペースが少なくてよく、しかも例えば操船機器等を容易に増設したり交換ができる。
【発明を実施するための最良の形態】
【００２２】
以下、この発明の親子型発電機搭載ボートの実施の形態について説明する。この発明の実施の形態は、発明の最も好ましい形態を示すものであり、この発明はこれに限定されない。
【００２３】
図１は親子型発電機搭載ボートの概略構成を示す図である。この実施の形態の親子型発電機搭載ボート１は、相対的に大型な親ボート２と、この親ボート２より小型な１つ以上の子ボート３からなる。
【００２４】
親ボート２には、燃料電池を含む発電装置２０、バッテリ２１、給電装置２２、制御装置２３及び操船装置２４等が搭載され、これらは通信ネットワーク６によって接続されている。通信ネットワーク６として、例えばＬＡＮシステムを用いることができ、操船装置２４からの操船信号に基づき、制御装置２３は、発電装置２０の制御を行ない、発電装置２０から発電される電気をバッテリ２１に充電する。
【００２５】
発電装置２０が燃料電池である場合には、燃料電池に燃料を補給することで、継続して発電できる。また、エンジンで駆動される発電装置２０を用いることもできる。
【００２６】
子ボート３には、バッテリ３０、制御装置３１、電動推進装置３２及び操船装置３３が搭載され、これらは通信ネットワーク７によって接続されている。通信ネットワーク７として、例えばＬＡＮシステムを用いることができ、操船装置２４からの操船信号に基づき、電動推進装置３２の制御を行ない航走する。電動推進装置３２は、バッテリ３０の電源で駆動される。
【００２７】
電動推進装置３２は、モータによってインペラを駆動するジェット推進機でもよく、あるいはモータによってプロペラを回転する船外機でもよい。制御装置３１は、電動推進装置３２の制御を行ない、電動推進装置３２はバッテリ３０の電力によって駆動して推進する。
【００２８】
親ボート２から子ボート３に充電可能になっている。即ち、親ボート２に子ボート３をドッキングすると、このドッキング状態で電力系カプラ４ａ，５ａによって親ボート２の電力系４と、子ボート３の電力系５とが電気的に接続する。この親ボート２の電力系４と、子ボート３の電力系５とが接続することによって、親ボート２の発電装置２０を駆動して発電し、電力系４と電力系５によって給電し、子ボート３のバッテリ３０に充電する。このように、親ボート２に子ボート３をドッキングして電気的に接続し、親ボート２の発電装置２０から子ボート３のバッテリ３０に充電することができる。
【００２９】
この実施の形態では、親ボート２に電動推進装置を備えていないので、子ボート３を親ボート２にドッキングした状態で子ボート３の電動推進装置３２を駆動して航走する。この場合、親ボート２に備える発電装置２０を駆動して発電し、子ボート３に給電して電動推進装置３２を駆動するが、例えば燃料電池に燃料を補給することで、継続して発電でき、それを電源として電動推進装置３２を駆動して長時間駆動できるので、移動距離を長くできる。
【００３０】
親ボート２の移動先では、子ボート３は親ボート２とのドッキングを解除して分離し、子ボート３のバッテリ３０で電動推進装置３２を駆動して航走することができる。子ボート３は、バッテリ３０が蓄電量が少なくなると、親ボート２の発電装置２０から充電する。このように、親ボート２を水上での遊覧の基地として利用できる。
【００３１】
また、親ボート２内には通信ネットワーク６と、連動装置６ａが設けられ、子ボート３内には通信ネットワーク７と連動装置７ａが設けられている。親ボート２の連動装置６ａと子ボート３の連動装置７ａによって親ボート２内の通信ネットワーク６と子ボート３内の通信ネットワーク７とを接続し、親ボート２と子ボート３との間、または子ボート３同士の間で操船信号を送受信する。
【００３２】
例えば、親ボート２の操船装置２４から単数または複数の子ボート３の操船を行なう。また、子ボート３の操船装置３３から親ボート２または他の子ボート３の操船を行なう。通信ネットワーク６，７として、例えばＬＡＮシステム用い、通信ネットワーク同士を容易に接続することができる。また、通信ネットワーク６，７は、連動装置６ａ，７ａにより接続して操船信号を送受信し、ＬＡＮシステムを用いることで、伝送速度が速く、かつ配線スペースが少なくてよく、しかも例えば操船機器等を容易に増設したり交換ができる。
【００３３】
次に、親子型発電機搭載ボート１の使用状態を、図２及び図３に示す。図２は親子型発電機搭載ボートの航走状態を示す図、図３は親子型発電機搭載ボートを遊覧の基地として利用する状態を示す図、図４は親子型発電機搭載ボート１の着岸状態を示す図である。
【００３４】
この実施の形態の親子型発電機搭載ボート１は、図２及び図３に示すような親ボート２と、子ボート３とからなる。この親ボート２は、船体中央部２ａに運転部２００が配置され、航走方向の後部２ｂに子ボート３をドッキングするドッキング部２ｂ１を有し、航走方向に対して左右側部２ｃに子ボート３をドッキングするドッキング部２ｃ１を有する。また、親ボート２は、航走方向に対して左右側部２ｃに子ボート３を乗船する乗船部２ｃ２を有し、航走方向の前部２ｄに子ボート３を乗船する乗船部２ｄ１を有する。
【００３５】
複数の子ボート３を用いてレジャーを楽しむ場合、図２に示すように、親子型発電機搭載ボート１の航走は、例えば子ボート３を親ボート２の乗船部２ｃ２や乗船部２ｄ１に乗船して固定する。また、子ボート３を親ボート２のドッキング部２ｂ１にドッキングし、運転者は親ボート２の運転部２００に設けられた操船席２０１に座って、操船装置２４により親ボート２にドッキングした子ボート３を操船する。
【００３６】
このように、親ボート２に子ボート３をドッキングして電気的に接続し、親ボート２の発電装置２０から子ボート３の電動推進装置３２を駆動して航走する。このようにして、親子型発電機搭載ボート１を所定距離移動する。
【００３７】
この親子型発電機搭載ボート１を遊覧の基地として利用する場合は、図３に示すように、親ボート２に乗船した子ボート３を降ろして水上に浮かべる。また、ドッキングした子ボート３は親ボート２とのドッキングを解除して分離し、航走することができる。このように、親ボート２は、水上での遊覧の基地として利用可能で、かつ子ボート３の移動距離を大きく確保することができる。また、子ボート３による遊びの範囲をある拠点の範囲とすることで、子ボート３の管理できる一方、親ボート２である拠点そのものが移動できる。このように、子ボート３の管理範囲を限定しつつ、親ボート２を移動することで移動範囲を広げることにより安心して広い領域で遊べるようにすることができる。
【００３８】
また、親ボート２を岸壁３００に着岸時させる時には、図４に示すように、航走方向に対して左右の一方側に設けられた側部２ｃのドッキング部２ｃ１に子ボート３をドッキングする。そして、このドッキングした子ボート３を推進させ、親ボート２の横移動や旋回を行なって着岸することができ、着岸時に便利で、かつ迅速に着岸できる。
【００３９】
図５は親子型発電機搭載ボートの他の実施の形態を示す図である。この実施の形態の親子型発電機搭載ボート１は、相対的に大型な親ボート２に電動推進装置４００が搭載されている。また、親ボート２には、航走方向の後部２に搭載した電動推進装置４００を駆動して航走し、この移動先では航走方向に対して左右側のドッキング部２ｃ１に子ボート３をドッキングしてバッテリに充電し、親ボート２を水上での遊覧の基地として利用できる。
【００４０】
図６は親子型発電機搭載ボートの他の実施の形態を示す図である。この実施の形態の親子型発電機搭載ボート１は、相対的に大型な親ボート２に電動推進装置５００が搭載されている。また、親ボート２には、航走方向の後部２に搭載した電動推進装置５００を駆動して航走し、この移動先では航走方向の前部２ｄに子ボート３を乗船する乗船部２ｄ１を有し、この乗船部２ｄ１に子ボート３を乗船させて子ボート３をドッキングしてバッテリに充電し、親ボート２を水上での遊覧の基地として利用できる。
【００４１】
このように、例えば、ハウスボート等の親ボート２に子船である子ボート３を載せて、水上では子ボート３を周辺で走らせる。子ボート３は中小のバッテリを積み軽くしてある。子ボート３は、バッテリが少なくなったら、ハウスボートである親ボート２に戻ってバッテリに充電する。
【産業上の利用可能性】
【００４２】
親ボートは、発電装置を搭載し、子ボートは、バッテリと電動推進装置を搭載しており、親ボートに子ボートをドッキングして電気的に接続し、子ボートの電動推進装置を親ボートの発電装置から長時間駆動できるので、移動距離を長くできる。また、親ボートの発電装置から子ボートのバッテリに充電することができる。子ボートは、例えば移動先で親ボートとのドッキングを解除して分離し、バッテリで電動推進装置を駆動して航走することができ、親ボートは水上での遊覧の基地として利用可能である。
【図面の簡単な説明】
【００４３】
【図１】親子型発電機搭載ボートの概略構成を示す図である。
【図２】親子型発電機搭載ボートの航走状態を示す図である。
【図３】親子型発電機搭載ボートを遊覧の基地として利用する状態を示す図である。
【図４】親子型発電機搭載ボート１のの着岸状態を示す図である。
【図５】親子型発電機搭載ボートの他の実施の形態を示す図である。
【図６】親子型発電機搭載ボートの他の実施の形態を示す図である。
【符号の説明】
【００４４】
１  親子型発電機搭載ボート
２  親ボート
２ａ  船体中央部
２ｂ  後部
２ｂ１，２ｃ１  ドッキング部
２ｃ  左右側部
２ｃ２  乗船部
２ｄ  前部
２ｄ１  乗船部
３  子ボート
４，５  電力系
４ａ，５ａ  電力系カプラ
６，７  通信ネットワーク
６ａ，７ａ  連動装置
２０  発電装置
２１  バッテリ
２２  給電装置
２３  制御装置
２４  操船装置
３０  バッテリ
３１  制御装置
３２，４００，５００  電動推進装置
２００  運転部
【図１】
2006056386.tif 000003
【図２】
2006056386.tif 000004
【図３】
2006056386.tif 000005
【図４】
2006056386.tif 000006
【図５】
2006056386.tif 000007
【図６】
2006056386.tif 000008